(57)【要約】【課題】カットテープの貼り付けを必要とせず、ディスプレーに適し、強度的に強い包装箱を安価に提供する。【解決手段】段ボール板製の包装箱１において、天板４には長辺側の対向側辺に沿う両側にそれぞれ長辺側の対向側辺の長さ方向の中間部に形成されたＨ型の切り込み始端部１６を境にして２本のジッパー状の半切り状のカット線１５ａ，１５ｂが形成され、この２本のカット線１５ａ，１５ｂの少なくとも何れか一方のカット線１５ａまたは１５ｂの端部に繋がるように側板９，１０にはジッパー状のカット線１７が形成されている。【選択図】　　　　図２
2004026200.tif 000002
【特許請求の範囲】
【請求項１】
長方形の底板２と、この底板２の２つの長辺側の対向側辺の内、一方の対向側辺側に下端が繋がり起立する長辺側の一方の側板３と、この側板３の上端に２つの長辺側の対向側辺の内、一方の対向側辺が繋がる天板４と、この天板４の他方の対向側辺側に上端が繋がるとともに下端が前記底板２の他方の対向側辺側に繋がり起立する長辺側の他方の側板５と、前記底板２の２つの短辺側の対向側辺に連設されて起立し前記長辺側の両側板３，５の高さのほぼ半分の高さの短辺側の下側の側板７，８と、前記天板４の２つの短辺側の対向側辺に連設されて垂下し下端が前記短辺側の側板７，８の上端と付き合わせ状態となる短辺側の上側の側板９，１０と、互いに付き合わさる側板７と９および側板８と１０同士を閉状態にすべく前記長辺側の両側板３，５の長さ方向両端部に連設され側板７，９および側板８，１０の長さ方向両端部内面に重なって接合されるフラップ１１，１２、１３，１４とから構成される段ボール板製の包装箱１であって、前記天板４には長辺側の対向側辺に沿う両側にそれぞれ長辺側の対向側辺の長さ方向の中間部に形成されたＨ型の切り込み始端部１６を境にして２本のジッパー状の半切り状のカット線１５ａ，１５ｂが形成され、この２本のカット線１５ａ，１５ｂの少なくとも何れか一方のカット線１５ａまたは１５ｂの端部に繋がるように前記上側の側板９，１０にはジッパー状のカット線１７が形成されていることを特徴とする段ボール板製包装箱。
【請求項２】
長方形の底板２と、この底板２の２つの長辺側の対向側辺の内、一方の対向側辺側に下端が繋がり起立する長辺側の一方の側板３と、この側板３の上端に２つの長辺側の対向側辺の内、一方の対向側辺が繋がる天板４と、この天板４の他方の対向側辺側に上端が繋がるとともに下端が前記底板２の他方の対向側辺側に繋がり起立する長辺側の他方の側板５と、前記底板２の２つの短辺側の対向側辺に連設されて起立し前記長辺側の両側板３，５の高さのほぼ半分の高さの短辺側の下側の側板７，８と、前記天板４の２つの短辺側の対向側辺に連設されて垂下し下端が前記短辺側の側板７，８の上端と付き合わせ状態となる短辺側の上側の側板９，１０と、互いに付き合わさる側板７と９および側板８と１０同士を閉状態にすべく前記長辺側の両側板３，５の長さ方向両端部に連設され側板７，９および側板８，１０の長さ方向両端部内面に重なって接合されるフラップ１１，１２、１３，１４とから構成される段ボール板製の包装箱１であって、前記天板４には長辺側の対向側辺に沿う両側にそれぞれジッパー状の半切り状のカット線１５が形成され、このカット線１５の端部に繋がり下端が互いに近づく方向に傾斜するように前記上側の側板９，１０の少なくとも一方にはジッパー状のカット線１７が形成されていることを特徴とする段ボール板製包装箱。
【発明の詳細な説明】
【０００１】
【発明の属する技術分野】
本発明は商品を収納したままディスプレー可能な段ボール板製包装箱に関するものである。
【０００２】
【従来の技術】
従来、商品を収納したままディスプレー可能な段ボール板製包装箱としては、包装箱の側板を全周に亘ってカットして包装箱の上半分を取り除き、包装箱の下半分に商品を収納したままディスプレーするようにしたものが知られている。
【０００３】
このような包装箱において、包装箱の側板を全周に亘ってカットするためにカットテープが包装箱の側板の内面に貼り付けられており、カットテープの一端を摘んで引っ張ることにより側板をカットすることができるようになっているのであるが、カットテープを側板の内面に貼り付けなければならず、コストアップになるという問題があった。
【０００４】
そこで、カットテープを設けずにジッパー状のカット線を側板の高さ方向のほぼ中間部に設けて側板をカットするようにしたものもあるが、包装箱の積み重ね状態において上方からの荷重により下側の包装箱がカット線の部分で変形乃至破断するという問題があった。
【０００５】
また、天板にジッパー状のカット線を設けて、天板をカットする方法も考えられるが、その場合でも上方からの荷重によりカット線の部分で天板が破断して抜けてしまうという問題が予測される。
【０００６】
【発明が解決しようとする課題】
本発明はこのような課題を解決するもので、カットテープの貼り付けを必要とせず、ディスプレーに適し、強度的に強い包装箱を安価に提供することを目的とするものである。
【０００７】
【課題を解決するための手段】
この課題を解決するために本発明は、長方形の底板２と、この底板２の２つの長辺側の対向側辺の内、一方の対向側辺側に下端が繋がり起立する長辺側の一方の側板３と、この側板３の上端に２つの長辺側の対向側辺の内、一方の対向側辺が繋がる天板４と、この天板４の他方の対向側辺側に上端が繋がるとともに下端が前記底板２の他方の対向側辺側に繋がり起立する長辺側の他方の側板５と、前記底板２の２つの短辺側の対向側辺に連設されて起立し前記長辺側の両側板３，５の高さのほぼ半分の高さの短辺側の下側の側板７，８と、前記天板４の２つの短辺側の対向側辺に連設されて垂下し下端が前記短辺側の側板７，８の上端と付き合わせ状態となる短辺側の上側の側板９，１０と、互いに付き合わさる側板７と９および側板８と１０同士を閉状態にすべく前記長辺側の両側板３，５の長さ方向両端部に連設され側板７，９および側板８，１０の長さ方向両端部内面に重なって接合されるフラップ１１，１２、１３，１４とから構成される段ボール板製の包装箱１であって、前記天板４には長辺側の対向側辺に沿う両側にそれぞれ長辺側の対向側辺の長さ方向の中間部に形成されたＨ型の切り込み始端部１６を境にして２本のジッパー状の半切り状のカット線１５ａ，１５ｂが形成され、この２本のカット線１５ａ，１５ｂの少なくとも何れか一方のカット線１５ａまたは１５ｂの端部に繋がるように前記上側の側板９，１０にはジッパー状のカット線１７が形成されていることを要旨とするものである。また本発明は、長方形の底板２と、この底板２の２つの長辺側の対向側辺の内、一方の対向側辺側に下端が繋がり起立する長辺側の一方の側板３と、この側板３の上端に２つの長辺側の対向側辺の内、一方の対向側辺が繋がる天板４と、この天板４の他方の対向側辺側に上端が繋がるとともに下端が前記底板２の他方の対向側辺側に繋がり起立する長辺側の他方の側板５と、前記底板２の２つの短辺側の対向側辺に連設されて起立し前記長辺側の両側板３，５の高さのほぼ半分の高さの短辺側の下側の側板７，８と、前記天板４の２つの短辺側の対向側辺に連設されて垂下し下端が前記短辺側の側板７，８の上端と付き合わせ状態となる短辺側の上側の側板９，１０と、互いに付き合わさる側板７と９および側板８と１０同士を閉状態にすべく前記長辺側の両側板３，５の長さ方向両端部に連設され側板７，９および側板８，１０の長さ方向両端部内面に重なって接合されるフラップ１１，１２、１３，１４とから構成される段ボール板製の包装箱１であって、前記天板４には長辺側の対向側辺に沿う両側にそれぞれジッパー状の半切り状のカット線１５が形成され、このカット線１５の端部に繋がり下端が互いに近づく方向に傾斜するように前記上側の側板９，１０の少なくとも一方にはジッパー状のカット線１７が形成されていることを要旨とするものである。
【０００８】
この構成により、天板に半切り状のカット線を形成してディスプレーの際にカット線に沿って引き破ることにより天板を切除して商品を上方に露出させ、ディスプレー可能な状態にすることができる。しかも天板に形成されたカット線は半切り状であるので、上からの荷重に対して天板が破断して抜けてしまうようなこともなくなり、強度的に強い包装箱を安価に提供することができる。
【０００９】
【発明の実施の形態】
以下、本発明の実施の形態について、図面に基づいて説明する。
先ず、図１〜図６に示す第１の実施の形態について説明すると、１は長方形の底板２と、この底板２の２つの長辺側の対向側辺の内、一方の対向側辺に下端が連設されて起立する長辺側の一方の側板３と、この側板３の上端に２つの長辺側の対向側辺の内、一方の対向側辺が連設される天板４と、この天板４の他方の対向側辺に上端が連設されて起立する長辺側の他方の側板５と、この側板５の下端に連設されて前記底板２の他方の対向側辺側の上面に接着剤により貼着される止め代６と、前記底板２の２つの短辺側の対向側辺に連設されて起立し前記長辺側の両側板３，５の高さのほぼ半分の高さの短辺側の下側の側板７，８と、前記天板４の２つの短辺側の対向側辺に連設されて垂下し下端が前記短辺側の側板７，８の上端と付き合わせ状態となる短辺側の上側の側板９，１０と、互いに付き合わさる側板７と９および側板８と１０同士を閉状態にすべく前記長辺側の両側板３，５の長さ方向両端部に連設され側板７，９および側板８，１０の長さ方向両端部内面に重なって接着剤により貼着されるフラップ１１，１２、１３，１４とから構成される段ボール板製の包装箱である。
【００１０】
本実施の形態において、前記天板４には長辺側の対向側辺の長さ方向に沿ってジッパー状のカット線１５，１５が形成されている。即ち、天板４には長辺側の対向側辺に沿う両側にそれぞれ２本のジッパー状のカット線１５ａ，１５ｂが形成されており、一方のカット線１５ａは天板４の長辺側の対向側辺に重なる位置で形成され、他方のカット線１５ｂは長辺側の対向側辺の長さ方向の中間部に形成されたＨ型の切り込み始端部１６を境にして長辺側の対向側辺の長さ方向の両端側に向かって一方のカット線１５ａから徐々に間隔が開くように形成されている。そして、天板４の２つの短辺側の対向側辺に連設された短辺側の側板９，１０にも他方のカット線１５ｂの端部に繋がるジッパー状のカット線１７が形成されている。このカット線１７は側板９，１０の内側に位置するフラップ１１，１２、１３，１４との重なり部から少し外れた位置に形成されている。ところで、前記フラップ１１，１２、１３，１４にも上端から遊端の高さ方向中間部よりもやや下側位置との間でほぼＬ型のジッパー状のカット線１８が形成されている。そして、前記側板７，８とフラップ１１，１２、１３，１４とはカット線１８の下側位置で接着剤により互いに接合され、また前記側板９，１０とフラップ１１，１２、１３，１４とはカット線１８で囲まれる遊端側位置で接着剤により互いに接合される。
【００１１】
ところで、前記天板４のカット線１５ａ，１５ｂおよび側板９，１０のカット線１７は裏面のライナーおよび波板に形成されていて、表面のライナーにはカット線が形成されておらず、半切り状となっている。また、カット線１５ａ，１５ｂは内側に折れ曲がる一端部１５ａ’，１５ｂ’と、この一端部１５ａ’，１５ｂ’に繋がる直線部１５ａ”，１５ｂ”とを備えた部分を等間隔おきに備えて形成されているが、直線部１５ａ”，１５ｂ”の途中に分断部を作るようにしても良い。また、カット線１７においても前記カット線１５ｂの延長線上で内側に折れ曲がる一端部１７’と、この一端部１７’に繋がる直線部１７”とを備えた部分を等間隔おきに備えて形成されているが、直線部１７”の途中に分断部を作るようにしても良い。
【００１２】
なお、Ｌ型のジッパー状のカット線１８はフラップ１１，１２、１３，１４を厚さ方向に貫通するように全切り状となっている。
【００１３】
上記構成において、商品１９が収納された包装箱１を店頭などで並べてディスプレーするときは、前記天板４を前記切り込み始端部１６よりカット線１５，１５、詳しくはカット線１５ａ，１５ｂに沿って帯状に引き破ることにより天板４が長辺側の側板３，５から分断され、その後引き続いて上側の側板９，１０に形成されたカット線１７を引き破ることにより前記フラップ１１，１２、１３，１４に形成されたＬ型のカット線１８も引き破られ、上側の側板９，１０およびフラップ１１，１２、１３，１４のカット線１８で囲まれる遊端側部分が天板４と一緒に切除される（図６参照）。
【００１４】
図６にも示すように天板４と一緒に上側の側板９，１０およびフラップ１１，１２、１３，１４のカット線１８で囲まれる遊端側部分が包装箱１から切除されることにより商品１９は上方に露出し、ディスプレー可能な状態となる。なお、この第１の実施の形態において、フラップ１１，１２、１３，１４にカット線１８を形成しなくても良く、その場合は最終的に上側の側板９，１０をフラップ１１，１２、１３，１４との接合部から引き剥がせば良い。
【００１５】
次に、図７〜図９に示す第２の実施の形態について説明すると、この第２の実施の形態では天板４の隅部を切り取らずに残すように天板４の長辺側の対向側辺の長さ方向の中間部に形成されたＨ型の切り込み始端部１６より２本の平行なカット線１５ａ，１５ｂを形成し、側板９，１０にもカット線１５ａ，１５ｂの端部に繋がるジッパー状のカット線１７ａ，１７ｂが形成されている。そして、このカット線１７ａ，１７ｂ間で挟まれる部分よりも外側に位置する側板９，１０の両端部がフラップ１１，１２、１３，１４に接着剤により接合される。この第２の実施の形態ではフラップ１１，１２、１３，１４にはジッパー状のカット線は形成されていない。なお、前記カット線１５ａ，１５ｂおよびカット線１７ａ，１７ｂは裏面のライナーおよび波板に形成されていて、表面のライナーにはカット線が形成されておらず、半切り状となっている。また、カット線１５ａ，１５ｂおよびカット線１７ａ，１７ｂは前記第１の実施の形態と同様に内側に折れ曲がる一端部１５ａ’，１５ｂ’および１７ａ’，１７ｂ’と、この一端部１５ａ’，１５ｂ’および１７ａ’，１７ｂ’に繋がる直線部１５ａ”，１５ｂ”および１７ａ”，１７ｂ”とを備えた部分を等間隔おきに備えて形成されているが、直線部１５ａ”，１５ｂ”および１７ａ”，１７ｂ”の途中に分断部を作るようにしても良い。
【００１６】
この第２の実施の形態において、商品１９が収納された包装箱１を店頭などで並べてディスプレーするときは、前記第１の実施の形態と同様に天板４を前記切り込み始端部１６よりカット線１５，１５、詳しくはカット線１５ａ，１５ｂに沿って帯状に引き破ることにより天板４が隅部を残して長辺側の側板３，５から分断され、その後引き続いて上側の側板９，１０に形成されたカット線１７ａ，１７ｂに沿って帯状に引き破ることにより上側の側板９，１０が天板４と一緒に切除される（図９参照）。
【００１７】
次に、図１０〜図１３に示す第３の実施の形態について説明すると、この第３の実施の形態の包装箱１は天板４の長辺側の対向側辺に重なる位置でジッパー状の半切り状のカット線１５が形成されており、天板４の２つの短辺側の対向側辺に連設された短辺側の側板９，１０にもカット線１５の端部に繋がるジッパー状の半切り状のカット線１７が形成されている。つまり天板４の長辺側の対向側辺に重なる位置に形成されたカット線１５に繋がるように各側板９，１０にも２本のカット線１７が形成されることになり、この２本のカット線１７は下端が互いに近づく方向に傾斜している。そして、このカット線１７よりも外側に位置する側板９，１０の両端部がフラップ１１，１２、１３，１４に接着剤により接合される。ところで、前記カット線１５およびこのカット線１５に繋がるカット線１７は包装箱１の長辺側の一端側から他端側に向かって同一方向に形成されている。なお、底板２の２つの短辺側の対向側辺に連設された下側の側板７，８の長さ方向中間部上端にはほぼ半円形に切り込みを入れることにより押し込み片２０が形成されている。
【００１８】
この第３の実施の形態において、商品１９が収納された包装箱１を店頭などで並べてディスプレーするときは、包装箱１の長辺側の一端側において前記押し込み片２０より指を入れて２本のカット線１７間の前記側板９の下端に指を引っ掛け、前記側板９を持ち上げることにより２本のカット線１７間の側板９をカット線１７の位置で引き破り、続いて天板４をカット線１５の位置で引き破り、最終的に包装箱１の長辺側の他端側で前記側板１０をカット線１７の位置で引き破ることにより側板９，１０が天板４と一緒に切除される（図１３参照）。
【００１９】
ところで、この第３の実施の形態では前記カット線１５およびこのカット線１５に繋がるカット線１７を包装箱１の長辺側の一端側から他端側に向かって同一方向に形成しているが、包装箱１の長辺側の一端側からのカット線１５およびカット線１７の方向と、包装箱１の長辺側の他端側からのカット線１５およびカット線１７の方向を逆にして天板４の長辺側の対向側辺の長さ方向の中間部において一端側および他端側からのカット線１５が繋がるように構成して包装箱１の長辺側の両端側から引き破るようにしても良い。また、この第３の実施の形態において、包装箱１の長辺側の他端側の側板１０のカット線１７をなくしても良く、その場合は最終的に側板１０をフラップ１２、１４との接合部から引き剥がせば良い。
【００２０】
以上３つの実施の形態について説明したが、本発明は上記実施の形態に限定されるものではなく、要は天板４に半切り状のカット線を形成して、ディスプレーの際にカット線に沿って引き破ることにより天板４を切除して商品１９を上方に露出させ、ディスプレー可能な状態にできれば良い。また、前記側板７，８および側板９，１０とフラップ１１，１２、１３，１４を接着剤により接合しているが、ステッチ止めにより接合するようにしても良い。
【００２１】
【発明の効果】
以上のように本発明によれば、天板に半切り状のカット線を形成してディスプレーの際にカット線に沿って引き破ることにより天板を切除して商品を上方に露出させ、ディスプレー可能な状態にすることができる。しかも天板に形成されたカット線は半切り状であるので、上からの荷重に対して天板が破断して抜けてしまうようなこともなくなり、強度的に強い包装箱を安価に提供することができる。
【図面の簡単な説明】
【図１】本発明の第１の実施の形態における包装箱の展開図である。
【図２】同組み立て途中の状態を示す斜視図である。
【図３】同組み立て完成状態を示す斜視図である。
【図４】図１の要部拡大図である。
【図５】同包装箱を引き破る状態を示す斜視図である。
【図６】同ディスプレー可能な状態の包装箱の斜視図である。
【図７】本発明の第２の実施の形態における包装箱の展開図である。
【図８】同組み立て完成状態を示す斜視図である。
【図９】同ディスプレー可能な状態の包装箱の斜視図である。
【図１０】本発明の第３の実施の形態における包装箱の展開図である。
【図１１】同組み立て完成状態を示す斜視図である。
【図１２】同包装箱を引き破る状態を示す斜視図である。
【図１３】同ディスプレー可能な状態の包装箱の斜視図である。
【符号の説明】
１　　　　　　　　　　　包装箱
２　　　　　　　　　　　底板
３　　　　　　　　　　　側板
４　　　　　　　　　　　天板
５　　　　　　　　　　　側板
７，８　　　　　　　　　側板
９，１０　　　　　　　　側板
１１，１２、１３，１４　　フラップ
１５，１５ａ，１５ｂ　　　カット線
１６　　　　　　　　　　　切り込み始端部
１７，１７ａ，１７ｂ　　　カット線
１８　　　　　　　　　　　カット線
１９　　　　　　　　　　　商品
２０　　　　　　　　　　　押し込み片
【図１】
2004026200.tif 000003
【図２】
2004026200.tif 000004
【図３】
2004026200.tif 000005
【図４】
2004026200.tif 000006
【図５】
2004026200.tif 000007
【図６】
2004026200.tif 000008
【図７】
2004026200.tif 000009
【図８】
2004026200.tif 000010
【図９】
2004026200.tif 000011
【図１０】
2004026200.tif 000012
【図１１】
2004026200.tif 000013
【図１２】
2004026200.tif 000014
【図１３】
2004026200.tif 000015